(57)【要約】【課題】映像や音声の乱れ等を低減することができるデジタルテレビジョン放送受信機を提供する。【解決手段】同一のチャネルであり異なる周波数帯から抽出されたデジタルテレビジョン放送信号をバッファリングするバッファメモリ１８と、バッファメモリ１８のバッファリングされている信号を読み出してデコードするデコーダ１４と、第１の周波数帯から抽出された設定チャネルのデジタルテレビジョン放送信号がバッファメモリ１８からデコーダ１４によって読み出されてデコードされるように制御した後、その設定チャネルの映像が連続するように、第１の周波数帯とは異なる第２の周波数帯から抽出された設定チャネルのデジタルテレビジョン放送信号がバッファメモリ１８からデコーダ１４によって読み出されてデコードされるように制御を切り替える切替制御部２０と、を備えるデジタルテレビジョン放送受信機１００とする。【選択図】図１
2009224920.tif 000002
【特許請求の範囲】
【請求項１】
同一のチャネルであり異なる周波数帯から抽出されたデジタルテレビジョン放送信号をバッファリングするバッファメモリと、
前記バッファメモリのバッファリングされている信号を読み出してデコードするデコーダと、
第１の周波数帯から抽出された設定チャネルのデジタルテレビジョン放送信号が前記バッファメモリから前記デコーダによって読み出されてデコードされるように制御した後、前記設定チャネルの映像が連続するように、前記第１の周波数帯とは異なる第２の周波数帯から抽出された前記設定チャネルのデジタルテレビジョン放送信号が前記バッファメモリから前記デコーダによって読み出されてデコードされるように制御を切り替える切替制御部と、
を備えるデジタルテレビジョン放送受信機。
【請求項２】
請求項１に記載のデジタルテレビジョン放送受信機であって、
前記デジタルテレビジョン放送信号はトランスポートパケットとして送信され、各トランスポートパケットはその同期タイミングを示すタイミング信号を含み、
前記切替制御部は、前記切り替え前に前記デコーダでデコードされる前記第１の周波数帯から抽出された前記設定チャネルのデジタルテレビジョン放送信号のトランスポートパケットのタイミング信号と、前記切り替え後の前記デコーダでデコードされる前記第２の周波数帯から抽出された前記設定チャネルのデジタルテレビジョン放送信号のトランスポートパケットのタイミング信号と、が一致するように制御を切り替えることを特徴とするデジタルテレビジョン放送受信機。
【請求項３】
請求項１又は２に記載のデジタルテレビジョン放送受信機であって、
前記切替制御部における前記切り替えは、前記第１の周波数帯から抽出された前記設定チャネルのデジタルテレビジョン放送信号が所定のレベル以下となった場合に行うことを特徴とするデジタルテレビジョン放送受信機。
【請求項４】
請求項１〜３のいずれか１つに記載のデジタルテレビジョン放送受信機であって、
前記切替制御部における前記切り替え前に、前記バッファメモリへのバッファリングを前記第１の周波数帯から抽出された前記設定チャネルのデジタルテレビジョン放送信号から前記第２の周波数帯から抽出された前記設定チャネルのデジタルテレビジョン放送信号へ切り替えることを特徴とするデジタルテレビジョン放送受信機。
【請求項５】
請求項１〜３のいずれか１つに記載のデジタルテレビジョン放送受信機であって、
前記切替制御部における前記切り替え後も前記バッファメモリへの前記第１の周波数帯から抽出された前記設定チャネルのデジタルテレビジョン放送信号のバッファリングを継続することを特徴とするデジタルテレビジョン放送受信機。
【請求項６】
請求項１〜５のいずれか１つに記載のデジタルテレビジョン放送受信機であって、
前記デジタルテレビジョン放送信号は地上波デジタルテレビジョン放送信号であることを特徴とするデジタルテレビジョン放送信号受信機。
【発明の詳細な説明】
【技術分野】
【０００１】
本発明は、移動体等に搭載されるデジタルテレビジョン放送受信機に関する。
【背景技術】
【０００２】
地上デジタルテレビジョン放送において、携帯電話やカーナビゲーションシステムに搭載される受信機において高画質・高音質の受信を実現することが望まれている。
【０００３】
例えば、日本における地上デジタル放送では１３のセグメントに分けられた周波数帯のうち１つに低解像度（３２０×２４０画素又は３２０×１８０画素）の画像データを割り当て、携帯機器において小画面のテレビジョン放送の受信を可能としたワンセグ放送と呼ばれるシステムが採用されている。このような地上デジタル放送に対する受信機を移動させた場合であっても高画質・高音質の受信を実現することが望まれている。
【発明の開示】
【発明が解決しようとする課題】
【０００４】
ところが、移動体に搭載された受信機や受信機を持って視聴者が移動する際に、図９に示すように、同一のチャネルに対して異なる周波数帯が割り付けられている基地局ａの地域Ａ及び基地局ｂの地域Ｂを跨いだ移動があると、その境界領域ＡＢで周波数帯の切り替え作業を行わなければならない。
【０００５】
例えば、図９に示す例において、チャネルＣｈ１の放送プログラムを視聴しつつ地域Ａから地域Ｂへと移動を行った場合、地域Ａでは基地局ａから周波数帯Ａ１でチャネルＣｈ１の放送が行われており、地域Ｂでは基地局ｂから周波数帯Ｂ１でチャネルＣｈ１の放送が行われている。したがって、その境界領域ＡＢにおいて、受信機における受信周波数帯を周波数帯Ａ１から周波数帯Ｂ１へと切り替える作業が必要となる。
【０００６】
従来の受信機では、境界領域で映像や音声が途切れ、良好な視聴環境を提供することができない。また、切り替え作業をユーザに負担させることになり、ユーザの利便性を低下させてしまう。
【課題を解決するための手段】
【０００７】
本発明の１つの態様は、同一のチャネルであり異なる周波数帯から抽出されたデジタルテレビジョン放送信号をバッファリングするバッファメモリと、前記バッファメモリのバッファリングされている信号を読み出してデコードするデコーダと、第１の周波数帯から抽出された設定チャネルのデジタルテレビジョン放送信号が前記バッファメモリから前記デコーダによって読み出されてデコードされるように制御した後、前記設定チャネルの映像が連続するように、前記第１の周波数帯とは異なる第２の周波数帯から抽出された前記設定チャネルのデジタルテレビジョン放送信号が前記バッファメモリから前記デコーダによって読み出されてデコードされるように制御を切り替える切替制御部と、を備えるデジタルテレビジョン放送受信機である。
【０００８】
例えば、前記デジタルテレビジョン放送信号はトランスポートパケットとして送信され、各トランスポートパケットはその同期タイミングを示すタイミング信号を含み、前記切替制御部は、前記切り替え前に前記デコーダでデコードされる前記第１の周波数帯から抽出された前記設定チャネルのデジタルテレビジョン放送信号のトランスポートパケットのタイミング信号と、前記切り替え後の前記デコーダでデコードされる前記第２の周波数帯から抽出された前記設定チャネルのデジタルテレビジョン放送信号のトランスポートパケットのタイミング信号と、が一致するように制御を切り替える。
【０００９】
前記切替制御部における前記切り替えは、前記第１の周波数帯から抽出された前記設定チャネルのデジタルテレビジョン放送信号が所定のレベル以下となった場合に行うことが好適である。
【００１０】
チューナが１つのみである場合、前記切替制御部における前記切り替え前に、前記バッファメモリへのバッファリングを前記第１の周波数帯から抽出された前記設定チャネルのデジタルテレビジョン放送信号から前記第２の周波数帯から抽出された前記設定チャネルのデジタルテレビジョン放送信号へ切り替えることが好適である。
【００１１】
チューナが複数ある場合、前記切替制御部における前記切り替え後も前記バッファメモリへの前記第１の周波数帯から抽出された前記設定チャネルのデジタルテレビジョン放送信号のバッファリングを継続することが好適である。
【００１２】
このようなデジタルテレビジョン放送信号受信機は、基地局毎に同一チャネルの周波数帯が異なる地上波デジタルテレビジョン放送信号において特に有効である。
【発明の効果】
【００１３】
本発明によれば、地域間を跨ってデジタル放送を受信する際に映像や音声の途切れや乱れ等を低減することができるデジタルテレビジョン放送受信機を提供することができる。
【発明を実施するための最良の形態】
【００１４】
本発明の実施の形態におけるデジタルテレビジョン受信装置１００は、図１に示すように、入力インターフェース（入力Ｉ／Ｆ）１２、デコーダ１４、メモリ１６、切替制御部２０及び出力インターフェース（出力Ｉ／Ｆ）２２を含んで構成される。デジタルテレビジョン受信装置１００は、チューナ１０及びバッファメモリ１８に接続される。本実施の形態では、チューナ１０が１つであるシングルチューナのデジタルテレビジョン受信装置１００について説明する。
【００１５】
本実施の形態におけるデジタルテレビジョン受信装置１００は、専用の回路として構成してもよいし、全部又は一部の処理をコンピュータによるデジタル信号処理として実現してもよい。
【００１６】
チューナ１０は、デジタルテレビジョン受信装置１００のフロントエンド部を構成し、デジタル放送の信号を受信して、受信信号を復調し、デジタル信号を抽出して入力Ｉ／Ｆ１２へ出力する。チューナ１０は、例えば、ＲＦ部とＯＦＤＭ復調部を含んで構成される。チューナ１０は、切替制御部２０から受信周波数帯設定信号を受けて、ＲＦ部において受信周波数帯設定信号で指定された受信周波数帯の信号を一旦中間周波数帯（ＩＦ）信号に変換し、ＯＦＤＭ復調部においてＩＦ信号からデジタル信号（ＴＰ：トランスポートパケット）を抽出する。ＴＰ信号は、入力Ｉ／Ｆ１２を介して、デコーダ１４、メモリ１６、バッファメモリ１８等で構成されるバックエンド部に渡される。
【００１７】
例えば、日本におけるワンセグ放送では、動画はＨ．２６４／ＭＰＥＧ−４  ＡＣＣ規格、音声はＭＰＥＧ−２  ＡＣＣ規格で圧縮され、ＱＰＳＫ変調方式で変調されて送信されている。また、デジタル信号の各ＴＰは、動画及び音声を再生する際に同期タイミングをとるためのタイミング信号を含んでいる。ワンセグ放送の場合、受信された信号に対してＱＰＳＫ復調及び伸張処理を行い、動画信号及び音声信号を抽出して入力Ｉ／Ｆ１２へ出力する。
【００１８】
バッファメモリ１８は、入力Ｉ／Ｆ１２を介して入力された動画信号及び音声信号を一旦格納するメモリである。バッファメモリ１８は、例えば、Ｎａｎｄフラッシュメモリとすることが好適である。
【００１９】
バッファメモリ１８は、図２に示すように、現在表示されている周波数帯の受信信号をバッファリングするメモリ領域Ｍｅｍ＿Ｃｈ１ａ１と、次に表示される周波数帯の受信信号をバッファリングするメモリ領域Ｍｅｍ＿Ｃｈ１ｂ１とを含む。メモリ領域Ｍｅｍ＿Ｃｈ１ａ１及びＭｅｍ＿Ｃｈ１ｂ１はそれぞれリングバッファとして管理される。
【００２０】
例えば、図９における基地局ａの地域ＡにおいてチャネルＣｈ１の受信を行っている場合、チューナ１０によってチャネルＣｈ１の周波数帯Ａ１の信号のみを受信し、書込アドレスＷＰａ１で指定されるメモリ空間に入力Ｉ／Ｆ１２を介して入力されるチャネルＣｈ１の周波数帯Ａ１の動画信号及び音声信号を格納する。格納処理後、書込アドレスＷＰａ１を格納データ量だけ進める。
【００２１】
また、バッファメモリ１８からのデータの読み出しは、読出アドレスＲＰａ１で示されるメモリ空間から所定のデータ長のデータを読み出すことによって行われる。読出処理後、読出アドレスＲＰａ１は読出データ量だけ進める。
【００２２】
このとき、書込アドレスＷＰａ１はメモリ領域Ｍｅｍ＿Ｃｈ１ａ１の先頭アドレスから開始され、書込アドレスＷＰａ１を増加させた際にメモリ領域Ｍｅｍ＿Ｃｈ１ａ１の最終アドレスを超えると、書込アドレスＷＰａ１をメモリ領域Ｍｅｍ＿Ｃｈ１ａ１の先頭アドレスに戻す。読出アドレスＲＰａ１も同様である。これによって、メモリ領域Ｍｅｍ＿Ｃｈ１ａ１はリングバッファとして管理される。
【００２３】
同様に、基地局ｂの地域ＢにおいてチャネルＣｈ１の受信を行っている場合、チューナ１０によってチャネルＣｈ１の周波数帯Ｂ１の信号のみを受信し、書込アドレスＷＰｂ１で指定されるメモリ空間に入力Ｉ／Ｆ１２を介して入力されるチャネルＣｈ１の周波数帯Ｂ１の動画信号及び音声信号を格納する。格納処理後、書込アドレスＷＰｂ１を格納データ量だけ進める。
【００２４】
また、バッファメモリ１８からのデータの読み出しは、読出アドレスＲＰｂ１で示されるメモリ空間から所定のデータ長のデータを読み出すことによって行われる。読出処理後、読出アドレスＲＰｂ１は読出データ量だけ進める。
【００２５】
このとき、書込アドレスＷＰｂ１はメモリ領域Ｍｅｍ＿Ｃｈ１ｂ１の先頭アドレスから開始され、書込アドレスＷＰｂ１を増加させた際にモリ領域Ｍｅｍ＿Ｃｈ１ｂ１の最終アドレスを超えると、書込アドレスＷＰｂ１をメモリ領域Ｍｅｍ＿Ｃｈ１ｂ１の先頭アドレスに戻す。読出アドレスＲＰａ１も同様である。これによって、メモリ領域Ｍｅｍ＿Ｃｈ１ｂ１はリングバッファとして管理される。
【００２６】
なお、動画信号及び音声信号は、図２に示すように、ＴＰ毎にバッファメモリにバッファリングされる。各ＴＰは、再生時の同期をとるためのタイミング情報、チャネルを表すチャネル情報、及び、実際の動画データ及び音声データを含む実データを含んで構成される。すなわち、動画信号及び音声信号に含まれるタイミング情報及びチャネル信号を一致させることによって、異なる基地局から異なるタイミングで送信された同一のチャネルの放送を同期させて再生することができるようになっている。
【００２７】
デコーダ１４は、切替制御部２０からの読出アドレスＲＰａ１又はＲＰｂ１を受けて、バッファメモリの読出アドレスＲＰａ１又はＲＰｂ１で示されるメモリ領域に格納されている動画及び信号のＴＰを読み出し、表示装置（図示しない）に表示できる信号に変換する処理を行う。
【００２８】
例えば、切替制御部２０から読出アドレスＲＰａ１が入力された場合、メモリ領域Ｍｅｍ＿Ｃｈ１ａ１の読出アドレスＲＰａ１で示されるメモリ領域に格納されているＴＰを読み出してデコードする。切替制御部２０から読出アドレスＲＰｂ１が入力された場合、メモリ領域Ｍｅｍ＿Ｃｈ１ｂ１の読出アドレスＲＰｂ１で示されるメモリ領域に格納されているＴＰを読み出してデコードする。
【００２９】
メモリ１６は、デジタルテレビジョン受信装置１００における処理に必要なデータ等を格納及び保持するためのメモリである。例えば、デコーダ１４におけるデコード処理の際にバッファメモリ１８から読み出されたＴＰを一時的に格納したり、デコードに必要なパラメータ等を格納したりするために用いられる。また、各部で処理されるプログラム等を格納してもよい。メモリ１６は、デジタルテレビジョン受信装置１００に内蔵されるものとしてもよいし、外付けされるメモリチップとしてもよい。
【００３０】
切替制御部２０は、チューナ１０における受信周波数帯の切替処理、及び、デコーダ１０でのデコードの対象となる信号の読み出し先をメモリ領域Ｍｅｍ＿Ｃｈ１ａ１又はメモリ領域Ｍｅｍ＿Ｃｈ１ｂ１のいずれかに設定する切替処理を行う。より具体的には、書込アドレスＷＰａ１，ＷＰｂ１、読出アドレスＲＰａ１，ＲＰｂ１を設定することによって、受信強度が弱くなった周波数帯の信号から受信強度が強くなった周波数帯の信号へと受信対象及びデコード対象を切り替える処理を行う。
【００３１】
切替制御部２０における処理によって、同一のチャネルに対して異なる周波数帯が割り付けられている複数の地域を跨いだ移動があった場合でも、映像や音声を乱すことなく自動で周波数帯の切り替え処理を行うことができる。
【００３２】
出力Ｉ／Ｆ２２は、デコーダ１４においてデコードされた動画信号及び音声信号を表示装置（図示しない）へ出力するためのインターフェースである。例えば、表示装置が液晶ディスプレイである場合、出力Ｉ／Ｆ２２は液晶ディスプレイ用のインターフェースとする。
【００３３】
＜受信切替処理＞
以下、図３のフローチャートを用いて、デジタルテレビジョン受信装置１００の受信切替処理について説明する。ここでは、図９に示す例において、チャネルＣｈ１の放送プログラムを視聴しつつ地域Ａから地域Ｂへと移動を行う場合を例に説明する。
【００３４】
受信切替処理は、現在受信を行っている基地局からの受信信号に対する処理を継続しつつ行われる。
【００３５】
ここでは、切替制御部２０から現在受信を行っている基地局ａのチャネルＣｈ１の周波数帯Ａ１を示す受信周波数帯設定信号をチューナ１０に出力し、チューナ１０は受信周波数帯設定信号で特定される周波数帯Ａ１の信号を受信しているものとする。チューナ１０は、受信信号から動画信号及び音声信号を含むＴＰを抽出し、入力Ｉ／Ｆ１２を介してバックエンド部に入力する。
【００３６】
また、切替制御部２０は、書込アドレスＷＰａ１で示されるメモリ領域にステップＳ１０で抽出されたＴＰを格納し（図４（ａ））、書込アドレスＷＰａ１をＴＰのデータ量分だけ増加させる（図４（ｂ））。
【００３７】
同時に、切替制御部２０は、デコーダ１４に読出アドレスＲＰａ１を出力する（図５（ａ））。デコーダ１４は、読出アドレスＲＰａ１で示されるメモリ領域から動画信号及び音声信号を含むＴＰを読み出してデコード処理し、出力Ｉ／Ｆ２２を介して出力する。デコーダ１４によってＴＰが読み出されると、切替制御部２０は、読出アドレスＲＰａ１をＴＰのデータ量分だけ増加させる（図５（ｂ））。
【００３８】
このような処理によって、基地局ａのチャネルＣｈ１の周波数帯Ａ１を示す放送が出力Ｉ／Ｆ２２に接続された表示装置（図示しない）により表示される。
【００３９】
なお、書込アドレスＷＰａ１の初期値はメモリ領域Ｍｅｍ＿Ｃｈ１ａ１の先頭アドレスとする。また、読出アドレスＲＰａ１は、図４及び図５に示すように、書込アドレスＷＰａ１より後ろ（過去の信号を示す）のアドレスに設定する。すなわち、書込アドレスＷＰａ１で示されるメモリ領域にデータを書き込んだ後、そのメモリ領域に格納されているデータが遅れて読み出されるように読出アドレスＲＰａ１を設定する。
【００４０】
また、書込アドレスＷＰａ１及び読出アドレスＲＰａ１は、上記のように、メモリ領域Ｍｅｍ＿Ｃｈ１ａ１がリングバッファとして管理されるようにサイクリックに設定する。
【００４１】
このような受信処理が行われている状態において、チャネルＣｈ１の放送プログラムを視聴しつつ地域Ａから地域Ｂへと移動を行う場合の切替処理は以下のように行われる。
【００４２】
ステップＳ１０では、切替制御部２０において、チューナ１０から入力された信号が所定の強度以上であるか否かを判定する。信号が所定の強度以上であればステップＳ１２に処理を移行させて上記通常の受信処理を継続し、そうでなければステップＳ１４へ処理を移行させる。判定に用いる信号の強度は、例えば、ＴＰの動画信号の実データの平均値等とすることが好適である。
【００４３】
ステップＳ１４では、現在受信を行っている基地局からの受信の停止処理及び切替開始処理が行われる。切替制御部２０は、基地局ａのチャネルＣｈ１の周波数帯Ａ１を示す受信周波数帯設定信号のチューナ１０への出力を停止する。また、これに伴って書込アドレスＷＰａ１の増加も停止する。
【００４４】
なお、ステップＳ２６における処理が開始されるまで、デコーダ１４によるメモリ領域Ｍｅｍ＿Ｃｈ１ａ１からのデータの読み出し処理、デコード処理、及び、読出アドレスＲＰａ１の増加は継続する。これにより、切替処理中においても、バッファメモリ１８に予めバッファリングされているデータによって映像及び音声を出力し続けることができる。
【００４５】
ステップＳ１６では、基地局ｂのチャネルＣｈ１の周波数帯Ｂ１へのチューニングが行われる。切替制御部２０は、基地局ｂのチャネルＣｈ１の周波数帯Ｂ１を示す受信周波数帯設定信号をチューナ１０へ出力する。チューナ１０は、受信周波数帯設定信号で特定される周波数帯Ｂ１を受信し、動画信号及び音声信号を抽出し、入力Ｉ／Ｆ１２を介して、バックエンド部に入力する。
【００４６】
なお、設定する周波数帯は、メモリ１６に予め経度及び緯度に対する各チャネルの周波数帯の情報を記憶させておき、ＧＰＳ等を用いてデジタルテレビジョン受信装置１００の絶対位置を検出し、その経度及び緯度に基づいて基地局ａから受信していたチャネルと同一のチャネルの周波数帯を選択するものとすることができる。また、受信信号に含まれるチャネル情報を利用して、基地局ａから受信していた信号のチャネル情報と一致するチャネル情報を含む信号の周波数帯をスキャンして選んでもよい。なお、新たな周波数帯の設定方法はこれらに限定されるものではなく、基地局ａから受信していた信号のチャネルと同一のチャネルの信号を受信できるものであればよい。
【００４７】
ステップＳ１８では、新しい基地局からの受信信号に対するデータの格納処理が開始される。切替制御部２０は、書込アドレスＷＰｂ１を設定し、その書込アドレスＷＰｂ１で示されるメモリ領域にチューナ１０で抽出された動画信号及び音声信号を含むＴＰを格納し、書込アドレスＷＰｂ１をそのＴＰのデータ量だけ増加させる。この処理を所定時間繰り返すことによってメモリ領域Ｍｅｍ＿Ｃｈ１ｂ１に動画信号及び音声信号をバッファリングする。
【００４８】
なお、書込アドレスＷＰｂ１の初期値はメモリ領域Ｍｅｍ＿Ｃｈ１ｂ１の先頭アドレスとする。また、書込アドレスＷＰｂ１は、上記のように、メモリ領域Ｍｅｍ＿Ｃｈ１ｂ１がリングバッファとして管理されるようにサイクリックに設定する。
【００４９】
ステップＳ２０では、比較アドレスＣＰａ１を設定する。切替制御部２０は、図６に示すように、メモリ領域Ｍｅｍ＿Ｃｈ１ａ１の書込アドレスＷＰａ１（書込処理停止中）と読出アドレスＲＰａ１（読出処理継続中）との間に、読出アドレスＲＰａ１からアドレスＷだけ先に比較アドレスＣＰａ１を設定する。
【００５０】
ステップＳ２２では、比較アドレスＣＰｂ１を設定する。切替制御部２０は、図６に示すように、バッファメモリ１８のメモリ領域Ｍｅｍ＿Ｃｈ１ａ１における比較アドレスＣＰａ１で示されるメモリ領域からデータを読み出し、そのタイミング情報と一致するタイミング情報が記憶されているメモリ領域Ｍｅｍ＿Ｃｈ１ｂ１のアドレスを比較アドレスＣＰｂ１として設定する。
【００５１】
ステップＳ２４では、メモリ領域Ｍｅｍ＿Ｃｈ１ｂ１に対する読出アドレスＲＰｂ１を設定する。切替制御部２０は、図６に示すように、ステップＳ２２で設定された比較アドレスＣＰｂ１に対してアドレスＷだけ後のアドレスを読出アドレスＲＰｂ２として設定する。この読出アドレスＲＰｂ１は、メモリ領域Ｍｅｍ＿Ｃｈ１ａ１において現在読出処理に用いられている読出アドレスＲＰａ１で示されるメモリ領域に格納されているデータのタイミング情報と一致するタイミング情報を有するデータがメモリ領域Ｍｅｍ＿Ｃｈ１ｂ１において格納されているアドレスを示すものとなる。
【００５２】
ステップＳ２６では、新たな基地局ｂのチャネルＣｈ１の周波数帯Ｂ１から抽出された動画信号及び音声信号に対してデコード処理が開始される。ステップＳ１８において開始された書込アドレスＷＰｂ１に対する動画信号及び音声信号の書き込み処理を継続しつつ、デコーダ１４によるデコード処理も開始する。
【００５３】
すなわち、切替処理部２０は読出アドレスＲＰｂ１をデコーダ１４へ出力する。デコーダ１４は、メモリ領域Ｍｅｍ＿Ｃｈ１ｂ１における読出アドレスＲＰｂ１で示されるメモリ領域から動画信号及び音声信号を読み出してデコード処理し、出力Ｉ／Ｆ２２を介して出力する。デコーダ１４によって動画信号及び音声信号を含むＴＰが読み出されると、切替制御部２０は、読出アドレスＲＰｂ１をそのＴＰのデータ量分だけ増加させる。デコーダ１４から出力された動画信号及び音声信号は出力Ｉ／Ｆ２２に接続された表示装置（図示しない）により表示される。
【００５４】
なお、読出アドレスＲＰｂ１は、上記のように、メモリ領域Ｍｅｍ＿Ｃｈ１ｂ１がリングバッファとして管理されるようにサイクリックに設定する。
【００５５】
このような処理によって、基地局ａのチャネルＣｈ１の周波数帯Ａ１の受信状態から基地局ｂのチャネルＣｈ１の周波数帯Ｂ１の受信状態への切替処理をスムーズに行うことができ、映像や音声を途切れさせることなくデコードして出力することができる。
【００５６】
＜変形例＞
上記実施の形態ではチューナ１０を１つ備えたデジタルテレビジョン受信装置１００について説明したが、チューナ１０を２つ備える構成としてもよい。本変形例におけるデジタルテレビジョン受信装置１０２は、図７に示すように、入力インターフェース（入力Ｉ／Ｆ）１２、デコーダ１４、メモリ１６、切替制御部２０及び出力インターフェース（出力Ｉ／Ｆ）２２を含んで構成される。デジタルテレビジョン受信装置１００は、チューナ１０ａ，１０ｂ及びバッファメモリ１８に接続される。
【００５７】
この場合、切替制御部２０は、基地局ａのチャネルＣｈ１の周波数帯Ａ１を示す受信周波数帯設定信号をチューナ１０ａに設定し、基地局ｂのチャネルＣｈ１の周波数帯Ｂ１を示す受信周波数帯設定信号をチューナ１０ｂに設定する。これによって、チューナ１０ａは周波数帯Ａ１の放送信号を受信し、その動画信号及び音声信号を入力Ｉ／Ｆ１２を介してバックエンド部へ入力する。チューナ１０ｂは周波数帯Ｂ１の放送信号を受信し、その動画信号及び音声信号を入力Ｉ／Ｆ１２を介してバックエンド部へ入力する。
【００５８】
切替制御部２０は、書込アドレスＷＰａ１を設定し、チューナ１０ａから入力された動画信号及び音声信号のＴＰをバッファメモリ１８の書込アドレスＷＰａ１で示されるメモリ領域に順次格納する。また、切替制御部２０は、書込アドレスＷＰｂ１を設定し、チューナ１０ｂから入力された動画信号及び音声信号のＴＰをバッファメモリ１８の書込アドレスＷＰｂ１で示されるメモリ領域に順次格納する。これらの処理は上記実施の形態と同様に行うことができる。なお、本変形例では、書込処理は、以下の切替処理の前後を問わず、信号が受信できる間は継続して行ってもよい。
【００５９】
また、切替制御部２０は、読出アドレスＲＰａ１を設定し、デコーダ１４に設定する。デコーダ１４は、バッファメモリ１８の読出アドレスＲＰａ１で示されるメモリ領域に格納されている動画信号及び音声信号のＴＰを読み出してデコードする。デコードされた動画信号及び音声信号は出力Ｉ／Ｆ２２を介して表示装置（図示しない）に出力される。
【００６０】
書込アドレスＷＰａ１，ＷＰｂ１及び読出アドレスＲＰａ１は、上記実施の形態と同様にサイクリックに増加され、バッファメモリ１８はメモリ領域Ｍｅｍ＿Ｃｈ１ａ１，Ｍｅｍ＿Ｃｈ１ｂ１というリングバッファとして利用される。
【００６１】
このようにして、基地局ａ及び基地局ｂからの放送信号の両方をメモリ領域Ｍｅｍ＿Ｃｈ１ａ１及びＭｅｍ＿Ｃｈ１ｂ１にバッファリングしつつ、メモリ領域Ｍｅｍ＿Ｃｈ１ａ１から動画信号及び音声信号のＴＰを読み出してデコードを行う。
【００６２】
このような受信処理が行われている状態において、チャネルＣｈ１の放送プログラムを視聴しつつ地域Ａから地域Ｂへと移動を行う場合の切替処理は図８のフローチャートを用いて以下のように行われる。
【００６３】
ステップＳ１０では、切替制御部２０において、チューナ１０ａから入力された信号が所定の強度以上であるか否かを判定する。信号が所定の強度以上であればステップＳ１２に処理を移行させて上記通常の受信処理を継続し、そうでなければステップＳ３４へ処理を移行させる。
【００６４】
ステップＳ３４では、現在受信を行っている基地局からの受信を継続しつつ切替開始処理が行われる。切替制御部２０は、基地局ａのチャネルＣｈ１の周波数帯Ａ１を示す受信周波数帯設定信号のチューナ１０ａへの出力及び書込アドレスＷＰａ１の増加を継続する。
【００６５】
ステップＳ３６では、基地局ｂのチャネルＣｈ１の周波数帯Ｂ１へのチューニングが行われる。切替制御部２０は、基地局ｂのチャネルＣｈ１の周波数帯Ｂ１を示す受信周波数帯設定信号をチューナ１０ｂへ出力する。チューナ１０ｂは、受信周波数帯設定信号で特定される周波数帯Ｂ１を受信し、動画信号及び音声信号を抽出し、入力Ｉ／Ｆ１２を介して、バックエンド部に入力する。
【００６６】
ステップＳ１８では、新しい基地局からの受信信号に対するデータの格納処理が開始される。切替制御部２０は、書込アドレスＷＰｂ１を設定し、その書込アドレスＷＰｂ１で示されるメモリ領域にチューナ１０ｂで抽出された動画信号及び音声信号を含むＴＰを格納し、書込アドレスＷＰｂ１をそのＴＰのデータ量だけ増加させる。この処理を所定時間繰り返すことによってメモリ領域Ｍｅｍ＿Ｃｈ１ｂ１に動画信号及び音声信号をバッファリングする。
【００６７】
次に、比較アドレスＣＰａ１を設定する。切替制御部２０は、メモリ領域Ｍｅｍ＿Ｃｈ１ａ１の書込アドレスＷＰａ１（書込処理は継続中）と読出アドレスＲＰａ１（読出処理継続中）との間に、読出アドレスＲＰａ１からアドレスＷだけ先に比較アドレスＣＰａ１を設定する。次に、比較アドレスＣＰｂ１を設定する。切替制御部２０は、バッファメモリ１８のメモリ領域Ｍｅｍ＿Ｃｈ１ａ１における比較アドレスＣＰａ１で示されるメモリ領域からデータを読み出し、そのタイミング情報と一致するタイミング情報が記憶されているメモリ領域Ｍｅｍ＿Ｃｈ１ｂ１のアドレスを比較アドレスＣＰｂ１として設定する。そして、メモリ領域Ｍｅｍ＿Ｃｈ１ｂ１に対する読出アドレスＲＰｂ１を設定する。切替制御部２０は、比較アドレスＣＰｂ１に対してアドレスＷだけ後のアドレスを読出アドレスＲＰｂ２として設定する。
【００６８】
これらの処理は上記実施の形態におけるステップＳ２０〜Ｓ２４と同様に行うことができる。
【００６９】
このようにして読出アドレスＲＰｂ１を設定することによって、デコーダ１４はメモリ領域Ｍｅｍ＿Ｃｈ１ｂ１において読出アドレスＲＰｂ１で示されるメモリ領域から動画信号及び音声信号を含むＴＰを読み出してデコードする。すなわち、これまで表示対象となっていた基地局ａからの信号に同期させて基地局ｂからの信号を表示対象に切り替えることができる。
【００７０】
なお、読出アドレスＲＰｂ１は、メモリ領域Ｍｅｍ＿Ｃｈ１ｂ１がリングバッファとして管理されるようにサイクリックに設定する。
【００７１】
なお、受信する信号のアナログ処理を行うＲＦ処理部を２つ備え、ＲＦ処理部が出力する信号を復調する復調部を１つ備えるチューナを用いる場合、本変形例を用いて受信信号の切り替え処理を行うことが好適である。このとき、上記チューナでは、復調部がＲＦ処理部の出力する信号を時分割で処理して、復調信号をデジタルテレビジョン受信装置１０２へ出力する。１つの復調部による２つの受信信号の復調処理の負荷が大きく、規定時間内に２つのチャネルの復調処理が完了できない場合は、本変形例のようにチューナ１０を２つ設ける構成とすることが好適である。
【図面の簡単な説明】
【００７２】
【図１】本発明の実施の形態におけるデジタルテレビジョン受信装置の構成を示す図である。
【図２】本発明の実施の形態におけるバッファリングを説明する図である。
【図３】本発明の実施の形態における切替処理を示すフローチャートである。
【図４】本発明の実施の形態における書込処理（バッファリング）を説明する図である。
【図５】本発明の実施の形態における読出処理（デコード）を説明する図である。
【図６】本発明の実施の形態における切替処理を説明する図である。
【図７】本発明の実施の変形例におけるデジタルテレビジョン受信装置の構成を示す図である。
【図８】本発明の実施の変形例における切替処理を示すフローチャートである。
【図９】基地局間の移動を示す図である。
【符号の説明】
【００７３】
１０（１０ａ，１０ｂ）  チューナ、１２  入力インターフェース（入力Ｉ／Ｆ）、１４  デコーダ、１６  メモリ、１８  バッファメモリ、２０  切替制御部、２２  出力インターフェース（出力Ｉ／Ｆ）、１００，１０２  デジタルテレビジョン受信装置。
【図１】
2009224920.tif 000003
【図２】
2009224920.tif 000004
【図３】
2009224920.tif 000005
【図４】
2009224920.tif 000006
【図５】
2009224920.tif 000007
【図６】
2009224920.tif 000008
【図７】
2009224920.tif 000009
【図８】
2009224920.tif 000010
【図９】
2009224920.tif 000011